(57)【要約】【課題】スループットの低下を抑制するための効率的なモード切り替えが行える無線通信装置を提供すること。【解決手段】複数の通信システムと無線通信を行う携帯電話機１は、メインアンテナ５０を介して無線通信する送受信部４２と、メインアンテナ５０よりも感度が低いサブアンテナ６０を介して無線通信する受信部４３と、メインアンテナ５０を介してＥＶＤＯと通信を行いつつ、ＣＤＭＡ２０００＿１ｘの待ち受けを行う場合、サブアンテナ６０の受信感度が下限閾値以下であれば送受信部４２により待ち受け、メインアンテナ５０の受信感度が上限閾値以上であれば受信部４３により待ち受けるように切り替えるＣＰＵ３０と、を備え、ＣＰＵ３０は、切り替えの前後で測定されたメインアンテナ５０およびサブアンテナ６０におけるＣＤＭＡ２０００＿１ｘの受信感度差に基づいて、下限閾値に少なくとも当該受信感度差を加算した値で上限閾値を更新する。【選択図】図２
2010232907.tif 000002
【特許請求の範囲】
【請求項１】
複数の通信システムと無線通信を行う無線通信装置であって、
第１アンテナを介して前記複数の通信システムのうちの１つと無線通信する第１通信部と、
前記１アンテナよりも感度が低い第２アンテナを介して前記複数の通信システムのうちの１つと無線通信する第２通信部と、
第１アンテナを介して第１通信システムと通信を行いつつ、第２通信システムの待ち受けを行う場合、前記第２アンテナの受信感度が下限閾値以下であれば前記第１通信部により待ち受け、前記第１アンテナの受信感度が上限閾値以上であれば前記第２通信部により待ち受けるように切り替える制御部と、を備え、
前記制御部は、前記切り替えの前後で測定された前記第１アンテナおよび前記第２アンテナにおける前記第２通信システムの受信感度差に基づいて、前記下限閾値に少なくとも当該受信感度差を加算した値で前記上限閾値を更新することを特徴とする無線通信装置。
【請求項２】
前記制御部は、前記受信感度差を第１の回数測定した場合に、当該測定値の平均およびマージンを加算した値で前記上限閾値を更新することを特徴とする請求項１に記載の無線通信装置。
【請求項３】
前記制御部は、所定期間内に前記切り替えが複数回発生し、かつ測定された前記受信感度差が上限閾値と下限閾値との差よりも大きい場合、前記マージンを大きくして前記上限閾値を更新することを特徴とする請求項２に記載の無線通信装置。
【請求項４】
前記制御部は、所定回数の前記切り替えの間に、前記マージンを大きくする状況が発生しなかった場合に、前記マージンを小さくして前記上限閾値を更新することを特徴とする請求項３に記載の無線通信装置。
【請求項５】
前記制御部は、前記第２アンテナの受信感度が前記下限閾値付近であるときに、当該第２アンテナを介して前記第２通信システムからの受信に連続して第２の回数成功した場合、前記下限閾値を低下させ、失敗した場合、前記下限閾値を上昇させることを特徴とする請求項１から請求項４のいずれか１項に記載の無線通信装置。
【請求項６】
前記制御部は、前記下限閾値を上昇させた場合、再び低下させるための前記第２の回数を増加させることを特徴とする請求項５に記載の無線通信装置。
【請求項７】
前記下限閾値および前記上限閾値を、前記第２通信システムの周波数帯、バンドクラス、チャネル、または自装置の変形状態のうち、少なくとも１つに対応付けて記憶する記憶部を備える請求項１から請求項６のいずれか１項に記載の無線通信装置。
【請求項８】
前記第２通信システムは時分割多重接続方式であり、
前記制御部は、前記第１アンテナを介して前記第１通信システムと通信を行いつつ、前記第２通信システムの待ち受けを行う場合、時分割で前記第１通信システムによる通信と前記第２通信システムの待ち受けとを切り替えることを特徴とする請求項１から請求項７のいずれか１項に記載の無線通信装置。
【請求項９】
前記第１通信システムは３ＧＰＰ２規格におけるＥＶＤＯ方式であり、前記第２通信システムはＣＤＭＡ２０００＿１ｘ方式であることを特徴とする請求項８に記載の無線通信装置。
【発明の詳細な説明】
【技術分野】
【０００１】
本発明は、複数の通信システムと通信を行う無線通信装置に関する。
【背景技術】
【０００２】
従来、携帯電話機等の無線通信装置においては、例えば、音声通話が可能なＣＤＭＡ２０００＿１ｘ方式や、データ通信専用のＣＤＭＡ２０００＿１ｘ＿ＥＶＤＯ（Ｅｖｏｌｕｔｉｏｎ  Ｄａｔａ  Ｏｎｌｙ、あるいはＥｖｏｌｕｔｉｏｎ  Ｄａｔａ  Ｏｐｔｉｍｉｚｅｄ、以下ＥＶＤＯと呼ぶ）方式等、複数の通信システムが使用される。
【０００３】
また、複数のアンテナを有して受信品質の向上を図ると共に、複数通信システムと通信することも行われている。例えば、メインアンテナおよびサブアンテナの双方にてＥＶＤＯのダイバシティ通信を行いつつ、サブアンテナよりも受信感度の高いメインアンテナにてＣＤＭＡ２０００＿１ｘのページングチャネルを間欠受信する方法がある（以下、Ｈｙｂｒｉｄモードと呼ぶ）。
【０００４】
図７は、無線通信装置におけるＨｙｂｒｉｄモードを示すシーケンス図である。無線通信装置は、メインアンテナとサブアンテナの双方を使用してＥＶＤＯのダイバシティ通信を行い、受信感度の良い方のアンテナの信号を優先、あるいは双方の信号を合成してノイズを除去する。そして、所定の周期にてＣＤＭＡ２０００＿１ｘのページングチャネルを、メインアンテナにて間欠受信する。
【０００５】
ところが、Ｈｙｂｒｉｄモードでは、ＣＤＭＡ２０００＿１ｘの間欠受信のためにＥＶＤＯ通信が一時的に遮断されるため、データ品質の劣化やスループットの低下が懸念される。例えば、ＢＣＭＣＳ（Ｂｒｏａｄ−Ｃａｓｔ  Ｍｕｌｔｉ−Ｃａｓｔ  Ｓｅｒｖｉｃｅ）と呼ばれる同報送信のサービスでは、再送処理ができないため、データ受信に失敗する場合がある。
【０００６】
そこで、ＥＶＤＯのデータ品質を改善するため、プロトコルの異なる通信システムとの通信を複数アンテナで同時に行うＳＨＤＲ（Ｓｉｍｕｌｔａｎｅｏｕｓ  Ｈｙｂｒｉｄ  Ｄｕａｌ  Ｒｅｃｅｉｖｅ）機能を搭載し、ＥＶＤＯ通信はメインアンテナで継続しつつ、サブアンテナにてＣＤＭＡ２０００＿１ｘの間欠受信を行う方法（以下、Ｓｉｍｕｌｔａｎｅｏｕｓモードと呼ぶ）が提案されている。
【０００７】
図８は、無線通信装置におけるＳｉｍｕｌｔａｎｅｏｕｓモードを示すシーケンス図である。無線通信装置は、Ｈｙｂｒｉｄモードと同様に、ＥＶＤＯのダイバシティ通信を行っているが、ＣＤＭＡ２０００＿１ｘの間欠受信タイミングにおいても、メインアンテナでのＥＶＤＯ通信を継続する。そして、無線通信装置は、サブアンテナにてＣＤＭＡ２０００＿１ｘのページングチャネルを受信する。これにより、ＥＶＤＯ通信が遮断されることがなくなるため、スループットの向上が期待できる。
【０００８】
ところで、Ｓｉｍｕｌｔａｎｅｏｕｓモードの場合、ＣＤＭＡ２０００＿１ｘにおけるページングチャネルの受信を、メインアンテナよりも感度の低いサブアンテナにて行う。したがって、電波状態が悪化した場合には、Ｈｙｂｒｉｄモードへ切り替えて、ＣＤＭＡ２０００＿１ｘにおけるページングチャネルの受信をメインアンテナにて行うことが好ましい。そこで、所定の閾値に基づいてＨｙｂｒｉｄモードとＳｉｍｕｌｔａｎｅｏｕｓモードとを切り替える方法が提案されている（例えば、特許文献１参照）。
【０００９】
図９は、無線通信装置において、各アンテナの受信感度に基づいてＨｙｂｒｉｄモードとＳｉｍｕｌｔａｎｅｏｕｓモードとを切り替える方法を示す図である。
【００１０】
無線通信装置は、サブアンテナにおけるＣＤＭＡ２０００＿１ｘのページングチャネル受信率が１００％である受信感度の下限閾値と、２つのアンテナ間の想定利得差および装置内におけるアンテナの位置の違いによる受信感度差によって決定される上限閾値と、を保持している。
【００１１】
Ｈｙｂｒｉｄモードのとき、メインアンテナでの受信感度が上昇し上限閾値以上になると、Ｓｉｍｕｌｔａｎｅｏｕｓモードに切り替わり、ＣＤＭＡ２０００＿１ｘのページングチャネル受信はサブアンテナに移る。このとき、サブアンテナでの受信感度は下限閾値となる。
【００１２】
その後、Ｓｉｍｕｌｔａｎｅｏｕｓモードのとき、サブアンテナでの受信感度が低下し下限閾値以下になると、Ｈｙｂｒｉｄモードに切り替わり、ＣＤＭＡ２０００＿１ｘのページングチャネル受信はメインアンテナに移る。このとき、メインアンテナでの受信感度は上限閾値となる。
【先行技術文献】
【特許文献】
【００１３】
【特許文献１】特開２００８−８５７９３号公報
【発明の概要】
【発明が解決しようとする課題】
【００１４】
しかしながら、実環境での利得差は、バンドクラス、チャネルや、無線通信装置の変形状態、電波環境等によって変動する。想定利得差と実環境での利得差とが異なる場合には、モードが切り替わる際に、受信するアンテナが切り替わることでページングチャネルの受信感度が上限閾値から下限閾値へ、または下限閾値から上限閾値へと変わるのではなく、ずれた位置へと遷移する。
【００１５】
図１０は、無線通信装置において、実環境の利得差が想定利得差よりも小さい場合を示す図である。
【００１６】
この場合、Ｈｙｂｒｉｄモードでメインアンテナでの受信感度が上昇し上限閾値以上になると、Ｓｉｍｕｌｔａｎｅｏｕｓモードに切り替わり、ＣＤＭＡ２０００＿１ｘのページングチャネル受信はサブアンテナに移る。このとき、サブアンテナでの受信感度は下限閾値よりも高くなる。すなわち、実際には、もっと早くＳｉｍｕｌｔａｎｅｏｕｓモードへ切り替えることが可能であったが、Ｈｙｂｒｉｄモードが維持されることになるため、スループットが低下する。
【００１７】
図１１は、無線通信装置において、実環境の利得差が想定利得差よりも大きい場合を示す図である。
【００１８】
この場合、Ｈｙｂｒｉｄモードでメインアンテナでの受信感度が上昇し上限閾値以上になると、Ｓｉｍｕｌｔａｎｅｏｕｓモードに切り替わり、ＣＤＭＡ２０００＿１ｘのページングチャネル受信はサブアンテナに移る。このとき、サブアンテナでの受信感度は下限閾値よりも低くなる。すると、再びＨｙｂｒｉｄモードに切り替わることとなる。このように、モードの切り替えが繰り返されること（バタつき）により、無線通信装置のＣＰＵ負荷が高まり、電力消費が増大する。
【００１９】
また、Ｓｉｍｕｌｔａｎｅｏｕｓモードでサブアンテナでの受信感度が低下し下限閾値以下になると、Ｈｙｂｒｉｄモードに切り替わり、ＣＤＭＡ２０００＿１ｘのページングチャネル受信はメインアンテナに移る。このとき、メインアンテナでの受信感度は上限閾値より高くなる。すると、再びＳｉｍｕｌｔａｎｅｏｕｓモードに切り替わることとなる。このように、モードの切り替えが繰り返されること（バタつき）により、無線通信装置のＣＰＵ負荷が高まり、電力消費が増大する。
【００２０】
以上のように、上限閾値および下限閾値が適切に設定されていないと、効率的なモードの切り替えが行えない。特許文献１でも、実環境におけるＣＤＭＡ２０００＿１ｘの受信感度差に基づいていないため、各閾置が十分な精度とならない場合があった。
【００２１】
本発明は、スループットの低下を抑制するための効率的なモード切り替えが行える無線通信装置を提供することを目的とする。
【課題を解決するための手段】
【００２２】
本発明に係る無線通信装置は、複数の通信システムと無線通信を行う無線通信装置であって、第１アンテナを介して前記複数の通信システムのうちの１つと無線通信する第１通信部と、前記１アンテナよりも感度が低い第２アンテナを介して前記複数の通信システムのうちの１つと無線通信する第２通信部と、第１アンテナを介して第１通信システムと通信を行いつつ、第２通信システムの待ち受けを行う場合、前記第２アンテナの受信感度が下限閾値以下であれば前記第１通信部により待ち受け、前記第１アンテナの受信感度が上限閾値以上であれば前記第２通信部により待ち受けるように切り替える制御部と、を備え、前記制御部は、前記切り替えの前後で測定された前記第１アンテナおよび前記第２アンテナにおける前記第２通信システムの受信感度差に基づいて、前記下限閾値に少なくとも当該受信感度差を加算した値で前記上限閾値を更新することを特徴とする。
【００２３】
また、前記制御部は、前記受信感度差を第１の回数測定した場合に、当該測定値の平均およびマージンを加算した値で前記上限閾値を更新することが好ましい。
【００２４】
また、前記制御部は、所定期間内に前記切り替えが複数回発生し、かつ測定された前記受信感度差が上限閾値と下限閾値との差よりも大きい場合、前記マージンを大きくして前記上限閾値を更新することが好ましい。
【００２５】
また、前記制御部は、所定回数の前記切り替えの間に、前記マージンを大きくする状況が発生しなかった場合に、前記マージンを小さくして前記上限閾値を更新することが好ましい。
【００２６】
また、前記制御部は、前記第２アンテナの受信感度が前記下限閾値付近であるときに、当該第２アンテナを介して前記第２通信システムからの受信に連続して第２の回数成功した場合、前記下限閾値を低下させ、失敗した場合、前記下限閾値を上昇させることが好ましい。
【００２７】
また、前記制御部は、前記下限閾値を上昇させた場合、再び低下させるための前記第２の回数を増加させることが好ましい。
【００２８】
また、本発明に係る無線通信装置は、前記下限閾値および前記上限閾値を、前記第２通信システムの周波数帯、バンドクラス、チャネル、または自装置の変形状態のうち、少なくとも１つに対応付けて記憶する記憶部を備えることが好ましい。
【００２９】
また、前記第２通信システムは時分割多重接続方式であり、前記制御部は、前記第１アンテナを介して前記第１通信システムと通信を行いつつ、前記第２通信システムの待ち受けを行う場合、時分割で前記第１通信システムによる通信と前記第２通信システムの待ち受けとを切り替えることが好ましい。
【００３０】
また、前記第１通信システムは３ＧＰＰ２規格におけるＥＶＤＯ方式であり、前記第２通信システムはＣＤＭＡ２０００＿１ｘ方式であることが好ましい。
【発明の効果】
【００３１】
本発明によれば、スループットの低下を抑制するための効率的なモード切り替えが行える。
【図面の簡単な説明】
【００３２】
【図１】本発明の実施形態に係る携帯電話機の外観斜視図である。
【図２】本発明の実施形態に係る携帯電話機の機能を示すブロック図である。
【図３】本発明の実施形態に係る上限閾値の設定処理を示すフローチャートである。
【図４】本発明の実施形態に係る下限閾値の設定処理を示すフローチャートである。
【図５】本発明の実施形態に係る上限閾値および下限閾値が再設定される様子を例示するシーケンス図である。
【図６】本発明の実施形態に係るマージンが調整される様子を例示するシーケンス図である。
【図７】無線通信装置におけるＨｙｂｒｉｄモードを示すシーケンス図である。
【図８】無線通信装置におけるＳｉｍｕｌｔａｎｅｏｕｓモードを示すシーケンス図である。
【図９】無線通信装置において、ＨｙｂｒｉｄモードとＳｉｍｕｌｔａｎｅｏｕｓモードとを切り替える方法を示す図である。
【図１０】無線通信装置において、実環境の利得差が想定利得差よりも小さい場合を示す図である。
【図１１】無線通信装置において、実環境の利得差が想定利得差よりも大きい場合を示す図である。
【発明を実施するための形態】
【００３３】
以下、本発明の好適な実施形態の一例について説明する。なお、本実施形態では、無線通信装置の一例として、携帯電話機１を説明する。なお、本発明の無線通信装置はこれには限られず、例えば、ＰＨＳやＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ、さらには、これらに接続される通信モジュール等、様々な無線通信装置に適用可能である。
【００３４】
図１は、本実施形態に係る携帯電話機１（無線通信装置）の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００３５】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００３６】
また、表示部側筐体３は、表面部２０に、各種情報を表示するための表示部２１と、通話の相手側の音声を出力するレシーバ２２と、を備えて構成されている。
【００３７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００３８】
図２は、本実施形態に係る携帯電話機１の機能を示すブロック図である。携帯電話機１は、操作部１１と、表示部２１と、ＣＰＵ３０（制御部）と、通信部４０（第１通信部、第２通信部）と、メインアンテナ５０（第１アンテナ）と、サブアンテナ６０（第２アンテナ）と、音声部７０と、メモリ８０（記憶部）と、を備える。
【００３９】
ＣＰＵ３０は、携帯電話機１の全体を制御しており、例えば、表示部２１、通信部４０、音声部７０等に対して所定の制御を行う。また、ＣＰＵ３０は、操作部１１等から入力を受け付けて、各種処理を実行する。そして、ＣＰＵ３０は、処理実行の際には、メモリ８０を制御し、各種プログラムおよびデータの読み出し、およびデータの書き込みを行う。本実施形態においては、ＣＰＵ３０は、特に、ＨｙｂｒｉｄモードとＳｉｍｕｌｔａｎｅｏｕｓモードとの切り替え制御および、この切り替えの判断条件となる受信感度の上限閾値および下限閾値の設定処理を行う（詳細は後述する）。
【００４０】
通信部４０は、ベースバンド部４１と、送受信部４２（第１通信部）と、受信部４３（第２通信部）と、を備え、所定の使用周波数帯（例えば、２ＧＨｚ帯や８００ＭＨｚ帯等）で外部装置（基地局）と通信を行う。通信部４０は、メインアンテナ５０より送受信部４２で受信した信号をベースバンド部４１で復調処理し、またはサブアンテナ６０より受信部４３で受信した信号をベースバンド部４１で復調処理し、処理後の信号をＣＰＵ３０に供給する。また、ＣＰＵ３０から供給された信号をベースバンド部４１で変調処理し、送受信部４２によりメインアンテナ５０を介して外部装置に送信する。
【００４１】
ここで、通信部４０は、３ＧＰＰ２規格におけるデータ通信専用の通信プロトコルであるＥＶＤＯ（第１通信システム）と、音声通話を提供する音声通信プロトコルであるＣＤＭＡ２０００＿１ｘ（第２通信システム）と、の双方に対応している。前述のＨｙｂｒｉｄモードにおいては、メインアンテナ５０を介して送受信部４２によりＥＶＤＯの通信を行いつつ、ＣＤＭＡ２０００＿１ｘの待ち受けを行う場合、時分割でＥＶＤＯの通信とＣＤＭＡ２０００＿１ｘの待ち受けとを切り替える。また、前述のＳｉｍｕｌｔａｎｅｏｕｓモードの場合、メインアンテナ５０を介した送受信部４２によるＥＶＤＯの通信は継続し、ＣＤＭＡ２０００＿１ｘの待ち受けを行う場合、サブアンテナ６０を介して受信部４３により時分割でＥＶＤＯの通信とＣＤＭＡ２０００＿１ｘの待ち受けとを切り替える。
【００４２】
なお、ＣＤＭＡ２０００＿１ｘ方式およびＥＶＤＯ方式では、各通信システム、つまり１つの周波数帯（バンドクラス）内においても、使用することのできる周波数チャネルは複数存在している。また、日本においては、従来バンドクラス３のいわゆる旧８００ＭＨｚ帯のみでＣＤＭＡ２０００＿１ｘ方式を賄ってきたが、周波数帯域の見直しにより、使用可能なバンドクラスが現在は追加されている。すなわち、上り下りの周波数帯域を入れ替えると共に周波数チャネルをバンドクラス０に準拠するよう見直した、いわゆる新８００ＭＨｚ帯と、さらに高周波のバンドクラス６の２ＧＨｚ帯が使用できるようになっている。
【００４３】
音声部７０は、ＣＰＵ３０の制御に従って、通信部４０から供給された信号に対して所定の音声処理を行い、処理後の信号をレシーバ２２に出力する。レシーバ２２は、音声部７０から供給された信号を外部に出力する。なお、この信号は、レシーバ２２に代えて、または、レシーバ２２と共に、スピーカ（図示せず）から出力されるとしてもよい。
【００４４】
また、音声部７０は、ＣＰＵ３０の制御に従って、マイク１２から入力された信号を処理し、処理後の信号を通信部４０に出力する。通信部４０は、音声部７０から供給された信号にベースバンド部４１で所定の処理を行い、処理後の信号を送受信部４２によりメインアンテナ５０から出力する。
【００４５】
メモリ８０は、例えば、ワーキングメモリを含み、ＣＰＵ３０による演算処理に利用される。また、メモリ８０は、本実施形態に係る各種プログラムや、上限閾値、下限閾値の他、各種カウンタや、測定された受信感度等を記憶する。なお、メモリ８０は、着脱可能な外部メモリを兼ねていてもよい。
【００４６】
以下、ＣＰＵ３０の処理内容を説明する。
図３は、本実施形態に係る上限閾値の設定処理を示すフローチャートである。
【００４７】
ステップＳ１では、ＣＰＵ３０は、各種パラメータの初期化処理を行う。例えば、携帯電話機１の出荷時の初期値として、上限閾値＝−８５ｄＢ、下限閾値＝−９５ｄＢ等を設定する。また、後述の受信感度測定カウンタをクリアする。
【００４８】
ステップＳ２では、ＣＰＵ３０は、ＣＤＭＡ２０００＿１ｘのページングチャネルの捕捉処理を行う。この捕捉処理は、Ｈｙｂｒｉｄモードではメインアンテナ５０を介して、Ｓｉｍｕｌｔａｎｅｏｕｓモードではサブアンテナ６０を介して、間欠的に行われる。
【００４９】
ステップＳ３では、ＣＰＵ３０は、バンドクラスまたは周波数帯、チャネル、および携帯電話機１の開閉状態の情報を取得する。
【００５０】
ステップＳ４では、ＣＰＵ３０は、ステップＳ２で捕捉したページングチャネルの受信感度を測定する。
【００５１】
ステップＳ５では、ＣＰＵ３０は、ステップＳ４で測定した受信感度を、アンテナ、バンドクラスまたは周波数帯、チャネル、および携帯電話機１の開閉状態と関連付けて記憶する。このとき、ＣＰＵ３０は、少なくとも今回と前回の２回分の測定値を記憶しておく。
【００５２】
ステップＳ６では、ＣＰＵ３０は、ステップＳ４の測定結果に基づいて、ＨｙｂｒｉｄモードからＳｉｍｕｌｔａｎｅｏｕｓモードへ、またはＳｉｍｕｌｔａｎｅｏｕｓモードからＨｙｂｒｉｄモードへ、モードが切り替わったか否かを判定する。この判定がＹＥＳの場合はステップＳ７に移り、判定がＮＯの場合はステップＳ２に戻る。
【００５３】
ステップＳ７では、ＣＰＵ３０は、ステップＳ５で記憶された測定値に基づいて、モード切り替えの前後における受信感度差を算出する。具体的には、
受信感度差＝｜今回の受信感度−前回の受信感度｜
として算出する。
【００５４】
ステップＳ８では、ＣＰＵ３０は、バンドクラスまたは周波数帯、チャネル、および開閉状態ごとに、ステップＳ７で算出した受信感度差を、メモリ８０のデータベースに保存する。
【００５５】
ステップＳ９では、ＣＰＵ３０は、バンドクラスまたは周波数帯、チャネル、および開閉状態ごとに用意されている受信感度差測定カウンタをカウントアップする。
【００５６】
ステップＳ１０では、ＣＰＵ３０は、ステップＳ９でカウントアップした受信感度差測定カウンタが、所定のカウンタ閾値（第１の回数：例えば、５０回）を超えたか否かを判定する。この判定がＹＥＳの場合はステップＳ１１に移り、判定がＮＯの場合はステップＳ２に戻る。
【００５７】
ステップＳ１１では、ＣＰＵ３０は、受信感度差のデータを十分に収集できたと判断し、新たな上限閾値を算出して再設定する。具体的には、バンドクラスまたは周波数帯、チャネル、開閉状態ごとの上限閾値を、
新上限閾値＝下限閾値＋受信感度差の平均＋標準偏差＋マージン
として算出する。なお、標準偏差およびマージンは、測定値のばらつきを吸収するための値である。マージンについては、例えば、２ｄＢ等の所定値を用いる。
【００５８】
ステップＳ１２では、ＣＰＵ３０は、受信感度差測定カウンタを初期化し、ステップＳ２に戻る。すなわち、ＣＰＵ３０は、所定のカウンタ閾値（例えば、５０回）ごとに上限閾値を再設定する。
【００５９】
図４は、本実施形態に係る下限閾値の設定処理を示すフローチャートである。
【００６０】
ステップＳ２１では、ＣＰＵ３０は、各種パラメータの初期化処理を行う。例えば、携帯電話機１の出荷時の初期値として、下限閾値＝−９５ｄＢ等を設定する。また、後述の受信成功カウンタをクリアする。
【００６１】
ステップＳ２２では、ＣＰＵ３０は、ＣＤＭＡ２０００＿１ｘのページングチャネルの捕捉処理を行う。この捕捉処理は、Ｈｙｂｒｉｄモードではメインアンテナ５０を介して、Ｓｉｍｕｌｔａｎｅｏｕｓモードではサブアンテナ６０を介して、間欠的に行われる。
【００６２】
ステップＳ２３では、ＣＰＵ３０は、バンドクラスまたは周波数帯、チャネル、および携帯電話機１の開閉状態の情報を取得する。
【００６３】
ステップＳ２４では、ＣＰＵ３０は、ステップＳ２２で捕捉したページングチャネルの受信感度を測定する。
【００６４】
ステップＳ２５では、ＣＰＵ３０は、現在、Ｓｉｍｕｌｔａｎｅｏｕｓモードであるか否かを判定する。この判定がＹＥＳの場合はステップＳ２６に移り、判定がＮＯの場合はステップＳ２２に戻る。
【００６５】
ステップＳ２６では、ＣＰＵ３０は、ページングチャネルの受信に成功したか否かを判定する。この判定がＹＥＳの場合はステップＳ２７に移り、判定がＮＯの場合はステップＳ３２に移る。
【００６６】
ステップＳ２７では、ＣＰＵ３０は、ステップＳ２４で測定した受信感度が下限閾値付近であるか否かを判定する。具体的には、ＣＰＵ３０は、例えば、受信感度が下限閾値＋１ｄＢ以下であるか否かを判定する。あるいは測定が１ｄＢ単位である場合には、下限閾値＋１ｄＢ（Ｓｉｍｕｌｔａｎｅｏｕｓモードを維持できる最低値）と等しいか否かを判定してもよい。この判定がＹＥＳの場合はステップＳ２８に移り、判定がＮＯの場合はステップＳ２２に戻る。
【００６７】
ステップＳ２８では、ＣＰＵ３０は、バンドクラスまたは周波数帯、チャネル、および開閉状態ごとに用意されている受信成功カウンタをカウントアップする。
【００６８】
ステップＳ２９では、ＣＰＵ３０は、ステップＳ２８でカウントアップした受信成功カウンタが、所定の受信成功回数閾値（第２の回数：例えば、１００回）を超えたか否かを判定する。この判定がＹＥＳの場合はステップＳ３０に移り、判定がＮＯの場合はステップＳ２２に戻る。
【００６９】
ステップＳ３０では、ＣＰＵ３０は、下限閾値付近にてページングチャネルの受信を十分に連続して成功したと判断し、新たな下限閾値を算出して再設定する。具体的には、バンドクラスまたは周波数帯、チャネル、開閉状態ごとの下限閾値を、
新下限閾値＝旧下限閾値−下げ幅
として算出する。なお、下げ幅には、例えば１ｄＢ等の所定値を用いる。
【００７０】
ステップＳ３１では、ＣＰＵ３０は、受信成功カウンタを初期化し、ステップＳ２２に戻る。すなわち、ＣＰＵ３０は、下限閾値付近にて所定の受信成功回数閾値（例えば、１００回）以上連続してページングチャネルの受信に成功した場合に、さらに低い受信感度でもＳｉｍｕｌｔａｎｅｏｕｓモードを維持できる可能性があると判断して、下限閾値を下げて再設定する。
【００７１】
ステップＳ３２では、ＣＰＵ３０は、下限閾値付近にてページングチャネルの受信に失敗したので、この下限閾値ではページングチャネルの受信率が十分でないと判断し、新たな下限閾値を算出して再設定する。具体的には、バンドクラスまたは周波数帯、チャネル、開閉状態ごとの下限閾値を、
新下限閾値＝旧下限閾値＋上げ幅
として算出する。なお、上げ幅には、例えば１ｄＢ等の所定値を用いる。
【００７２】
ステップＳ３３では、ＣＰＵ３０は、受信成功カウンタを初期化し、ステップＳ２２に戻る。すなわち、ＣＰＵ３０は、下限閾値付近にて１回でもページングチャネルの受信に失敗した場合に、Ｓｉｍｕｌｔａｎｅｏｕｓモードにおけるページングチャネルの受信率を向上させるため、下限閾値を上げて再設定する。
【００７３】
図５は、本実施形態に係る上限閾値および下限閾値が再設定される様子を例示するシーケンス図である。なお、携帯電話機１は、ＥＶＤＯ通信の例として、ＢＣＭＣＳ（Ｂｒｏａｄ−Ｃａｓｔ  Ｍｕｌｔｉ−Ｃａｓｔ  Ｓｅｒｖｉｃｅ）のデータダウンロードを行っているものとする。
【００７４】
ＢＣＭＣＳのダウンロードを開始すると、強電界であったため、メインアンテナ５０の受信感度が上限閾値以上となり、携帯電話機１は、Ｓｉｍｕｌｔａｎｅｏｕｓモードとなった。その後、ＣＰＵ３０は、サブアンテナ６０にてＣＤＭＡ２０００＿１ｘのページングチャネルを間欠受信しつつ、受信感度を測定する。
【００７５】
ＣＰＵ３０は、このＳｉｍｕｌｔａｎｅｏｕｓモードへの切り替えの前後でのＣＤＭＡ２０００＿１ｘのページングチャネルの受信感度差を算出した結果、所定のカウンタ閾値（例えば、５０回）以上のデータ収集が完了すると、上限閾値を更新し、新しい上限閾値をメモリ８０に記憶する。
【００７６】
また、Ｓｉｍｕｌｔａｎｅｏｕｓモードへ切り替わった後、サブアンテナ６０におけるＣＤＭＡ２０００＿１ｘのページングチャネルの受信感度が下限閾値（例えば、−９５ｄＢ）付近（例えば、−９５ｄＢ＋１ｄＢ）である場合には、ＣＰＵ３０は、このページングチャネルの連続受信成功回数をカウントする。そして、この連続受信成功回数が所定の受信成功回数閾値（例えば、１００回）以上となると、ＣＰＵ３０は、下限閾値を所定の下げ幅（例えば、１ｄＢ）だけ下げて更新し、新しい下限閾値をメモリ８０に記憶する。
【００７７】
その後、弱電界となり、サブアンテナ６０における受信感度が新下限閾値以下となると、携帯電話機１は、ＳｉｍｕｌｔａｎｅｏｕｓモードからＨｙｂｒｉｄモードへ切り替わる。このときも、ＣＰＵ３０は、モード切り替えの前後でのＣＤＭＡ２０００＿１ｘのページングチャネル受信感度差を算出する。これにより、受信感度差測定カウンタがカウントアップされるが、前回のモード切り替え時にリセットされているため、今回は上限閾値の更新を行わない。
【００７８】
弱電界の間、ＣＤＭＡ２０００＿１ｘのページングチャネル受信はメインアンテナ５０にて行われるため、ＣＰＵ３０は、受信成功回数のカウントを行わない。そして、また強電界となり、メインアンテナ５０におけるＣＤＭＡ２０００＿１ｘのページングチャネルの受信感度が新上限閾値以上になると、携帯電話機１は、ＨｙｂｒｉｄモードからＳｉｍｕｌｔａｎｅｏｕｓモードへ切り替わる。このときも、ＣＰＵ３０は、モード切り替えの前後でのＣＤＭＡ２０００＿１ｘのページングチャネル受信感度差を算出するが、まだ算出回数がカウンタ閾値に達していないため、上限閾値の更新を行わない。
【００７９】
そして、携帯電話機１がＳｉｍｕｌｔａｎｅｏｕｓモードに切り替わった後、サブアンテナ６０によるＣＤＭＡ２０００＿１ｘのページングチャネルの間欠受信に失敗すると、ＣＰＵ３０は、現在の下限閾値が低すぎると判断し、下限閾値を所定の上げ幅（例えば、１ｄＢ）だけ上げて更新し、新しい下限閾値をメモリ８０に記憶する。
【００８０】
このように、本実施形態によれば、バンドクラスまたは周波数帯、チャネル、および開閉状態ごとに、上限閾値および下限閾値を設定でき、さらに上限閾値および下限閾値を自動調整することによって、ユーザの実環境に即した閾値を設定することができる。これにより、携帯電話機１は、効率的なモード切り替えをおこなうことができる。
【００８１】
以上の処理では、上限閾値の設定に関するマージンを一定値として説明したが、これには限られない。マージンは小さいほど上限閾値も小さくなるため、スループットの向上が期待できるＳｉｍｕｌｔａｎｅｏｕｓモードへ切り替わりやすくなる。ところが、上限閾値を小さくし過ぎると、前述のバタつきが発生するため、適宜マージンを調整し、適度な値を維持することが望ましい。次に、このマージンの調整処理を示す。
【００８２】
図６は、本実施形態に係るマージンが調整される様子を例示するシーケンス図である。
ＢＣＭＣＳのダウンロードを開始され、携帯電話機１がＳｉｍｕｌｔａｎｅｏｕｓモードとなると、サブアンテナ６０にてＣＤＭＡ２０００＿１ｘのページングチャネルの受信が行われる。このページングチャネルの受信感度が下限閾値以下であると、携帯電話機１は、Ｈｙｂｒｉｄモードへ切り替わる。すなわち、モードの切り替えが連続して実行されたことになる。
【００８３】
すると、ＣＰＵ３０は、Ｈｙｂｒｉｄモードへ切り替わった後の、メインアンテナ５０によるページングチャネルの受信感度と、切り替え前のサブアンテナ６０によるページングチャネルの受信感度と、の受信感度差を算出する。そして、ＣＰＵ３０は、この受信感度差が現在の上限閾値と下限閾値との差よりも大きい場合には、バタつきが発生していると判断する。
【００８４】
さらに、Ｈｙｂｒｉｄモードへ切り替わった後の、メインアンテナ５０によるページングチャネルの受信感度が上限閾値以上であると、携帯電話機１は、Ｓｉｍｕｌｔａｎｅｏｕｓモードへ切り替わる。
【００８５】
一定期間に、このような連続したモードの切り替えが所定の回数（複数回）発生した場合、ＣＰＵ３０は、バタつきを抑制させるために、マージンを大きく（例えば、＋１ｄＢ）し、これに伴って上限閾値を大きくして更新する。
【００８６】
また、所定回数のモード切り替えの間に、バタつきが発生しなかった場合には、マージンを小さく（例えば、−１ｄＢ）し、これに伴って上限閾値を小さくして更新する。
【００８７】
このように、本実施形態によれば、自動調整される上限閾値の算出に際して、ばらつきを吸収するためのマージンをも微調整できるので、より高精度な上限閾値を設定することができる。
【００８８】
また、以上の処理では、ＣＤＭＡ２０００＿１ｘのページングチャネルの受信成功／失敗に応じて下限閾値を上下させて更新したが、過去に失敗した実績のある下限閾値に関しては、再度失敗する可能性がある。そこで、ＣＰＵ３０は、失敗した実績のある下限閾値には設定しないように制御してもよい。また、電波環境の変化によっては、失敗した実績のある下限閾値であっても高確率で受信に成功する場合もあるため、ＣＰＵ３０は、前述の受信成功回数閾値（図４参照）を大きくすることにより、設定されにくくすると共に、全く設定されない状態を防止してもよい。
【００８９】
このように、ＣＰＵ３０は、受信成功回数閾値を動的に変更することにより、ＣＤＭＡ２０００＿１ｘのページングチャネルの受信確率を高く維持すると共に、スループットの向上が期待できるＳｉｍｕｌｔａｎｅｏｕｓモードを長く保つことができる。
【００９０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００９１】
１  携帯電話機（無線通信装置）
１１  操作部
２１  表示部
３０  ＣＰＵ（制御部）
４０  通信部（第１通信部、第２通信部）
４１  ベースバンド部（第１通信部、第２通信部）
４２  送受信部（第１通信部）
４３  受信部（第２通信部）
５０  メインアンテナ（第１アンテナ）
６０  サブアンテナ（第２アンテナ）
７０  音声部
８０  メモリ（記憶部）
【図１】
2010232907.tif 000003
【図２】
2010232907.tif 000004
【図３】
2010232907.tif 000005
【図４】
2010232907.tif 000006
【図５】
2010232907.tif 000007
【図６】
2010232907.tif 000008
【図７】
2010232907.tif 000009
【図８】
2010232907.tif 000010
【図９】
2010232907.tif 000011
【図１０】
2010232907.tif 000012
【図１１】
2010232907.tif 000013